(57)【特許請求の範囲】
【請求項１】
本体シャーシと、該本体シャーシから引き出された第１の状態と本体シャーシ内に押し込まれた第２の状態との間をスライド可能にされたトレイとを有するディスク駆動装置において、
前記本体シャーシを形成する底板は、その一側方に中央部分よりも一段高く形成されてなる壇部を有し、かつ
前記トレイは、前記本体シャーシ内に押し込まれたときに前記壇部と上下に重なりあう位置に張り出し保護部を有し、そして、
前記張り出し保護部の前記本体シャーシ側の端部はその一部が切り欠かれていて、前記トレイを本体シャーシから引き出したときに、前記本体シャーシのトレイ側の端部との間に空隙が形成されるようにした、
上記の装置。
【請求項２】
前記張り出し保護部の端部は、その一部が傾斜状にまたは湾曲状に切り欠かれて、前記トレイを本体シャーシから引き出したときには、前記張り出し保護部の端部と本体シャーシのトレイ側端部との間に空隙が生じるようにした、請求の範囲第１項記載のディスク駆動装置。
【請求項３】
前記張り出し保護部の端部は、その一部が、前記トレイ上に載置されたディスク外周円に沿って切り欠かれている、請求の範囲第１項記載のディスク駆動装置。
【請求項４】
本体シャーシと、該本体シャーシから引き出された第１の状態と本体シャーシ内に押し込まれた第２の状態との間をガイドレール機構によってスライド可能にされたトレイとを有するディスク駆動装置において、
前記トレイはトレイ基体とディスク保護部とを備え、
前記ガイドレール機構は、前記本体シャーシの左右に設けられたシャーシ側ガイドレールと、前記トレイ基体の左右に設けられたトレイ側ガイドレールとを備え、
前記ディスク保護部は、前記左右のガイドレールの間の領域に対応するメイン保護部と、前記左右のガイドレールの一方から外側に張り出した張り出し保護部とからなり、このメイン保護部と張り出し保護部とで、前記トレイ上に載置されたディスクの下面の少なくとも全領域を覆い、
前記張り出し保護部の本体シャーシ側の端部は、その一部が切り欠かれていて、前記トレイを本体シャーシから引き出したときに、前記本体シャーシのトレイ側の端部との間に空隙が形成されるようにした、
上記の装置。
【請求項５】
前記左右のシャーシ側ガイドレールと前記左右のトレイ側ガイドレールとは、左右の中間ガイドレールを介してそれぞれ係合され、
前記左右の中間ガイドレールは、それぞれ、前記シャーシ側ガイドレールに係合する第１の係合部と、前記トレイ側ガイドレールに係合する第２の係合部とを有し、
前記左右の中間ガイドレールのうち少なくとも前記張り出し保護部に近い方の一方は、その第１の係合部の最上の部分が第２の係合部の最上の部分よりも下方にある、
請求の範囲第４項記載のディスク駆動装置。
【請求項６】
前記張り出し保護部に近い方の中間ガイドレールと、それに係合するシャーシ側ガイドレール及びトレイ側ガイドレールとで構成されるガイドレール機構は、トレイ上に載置されたディスクの下方に位置する、請求の範囲第４項または第５項記載のディスク駆動装置。
【請求項７】
前記シャーシ側ガイドレールは、その少なくとも一部が本体シャーシと一体に形成されている、請求の範囲第４項乃至第６項のいずれか１項記載のディスク駆動装置。
【請求項８】
前記本体シャーシは、板金材料により形成された、請求の範囲第１項乃至第７項のいずれか１項記載のディスク駆動装置。
【請求項９】
前記ガイドレール機構を構成するトレイ側ガイドレールは、前記中間ガイドレールを構成する第２の係合部と係合する凹部を有し、その凹部の最上の部分は、前記トレイの張り出し保護部の下面とほぼ同一の高さである、請求の範囲第５項乃至第８項のいずれか１項記載のディスク駆動装置。
【請求項１０】
前記トレイと前記張り出し保護部と前記トレイ側ガイドレールとはプラスチック材料の一体成形物である、請求の範囲第４項乃至第９項のいずれか１項記載のディスク駆動装置。
【請求項１１】
前記トレイ基体と前記ディスク保護部とがプラスチックの一体成形物である、請求の範囲第１項乃至第１０項のいずれか１項記載のディスク駆動装置。
【請求項１２】
前記張り出し保護部に指通し孔が形成されている、請求の範囲第１項乃至第１１項のいずれか１項記載のディスク駆動装置。
【請求項１３】
前記ディスク保護部の張り出し保護部の本体シャーシ側の端部には、所定高さの立ち上がり壁が形成されている、請求の範囲第１項乃至第１２項のいずれか１項記載のディスク駆動装置。
【発明の詳細な説明】
【技術分野】
【０００１】
本発明は、コンパクトディスク（ＣＤ）やデジタルビデオディスク（ＤＶＤ）等の情報記録ディスクを装着して駆動し、情報の読み出し・書き込みを行うためのディスク駆動装置に関する。
【背景技術】
【０００２】
ディスク駆動装置は小型のコンピュータなどの親装置に組み込まれる。この従来型のディスク駆動装置の第１の例を図８を参照して説明する。これは特開平８−１３８２９６号に開示されている例である。
ディスク駆動装置は、小型コンピュータに装着される本体シャーシ１０２と、ディスクが載置されるトレイ１０３とからなる。トレイ１０３の左側壁には左のスライダー１４０が、また、トレイ１０３の下面で右端近くには右のスライダー１４１が取り付けられている。
【０００３】
一方、本体シャーシ１０２の左側壁には左のスライダーレール１５０が、また、右側壁には右のスライダーレール１５１が形成されている。そして、これらスライダー１４０、１４１とスライダーレール１５０、１５１との係合によって、トレイ１０３は本体シャーシ１０２にＹ−Ｙ′方向に移動可能に支持される。
【０００４】
本体シャーシ１０２の右側壁の上端からは壇部１０６が外側に向けて水平に張り出している。壇部１０６の上面は、本体シャーシ１０２の中央の底面よりも高い位置にある。
【０００５】
トレイ１０３のディスク保護部１１１は、ディスクの下面の全域を十分にカバーできる大きさの矩形をしている。ただし、トレイ１０３を本体シャーシから十分引きだした状態（アンロード位置）では、ディスク保護部１１１の後端（本体シャーシ側の端縁）と本体シャーシ１０２の前端（トレイ側の端縁）との間にわずかの隙間が生じるようにしている。これは、ディスクをトレイ１０３から取り外すまたはトレイに装着するときにディスクが本体シャーシ１０２にぶつからないようにするためである。
【０００６】
トレイ１０３を本体シャーシ１０２に十分押し込んだ状態（ロード位置）では、ディスク保護部１１１の、右のスライダー１４１より右側に張り出した部分は、壇部１０６の上方にくる。
【０００７】
この図８のディスク駆動装置をできるだけ薄くするためには、本体シャーシ１０２の壇部１０６の上面と、トレイ１１１のディスク保護部１１１の下面との間にほとんど高さの差がないようにすることが要請される。
【０００８】
そこで、アンロード位置にあるトレイ１０３を本体シャーシ１０２に向けて押し込むと、ディスク保護部１１１の後端が本体シャーシ１０２の壇部１０６の前端に突き当たって、トレイ１０３をさらに押し込むことができなくなることがある。トレイ１０３をアンロード位置から本体シャーシ１０２に向けて移動し始めたときは、スライダー１４０、１４１とスライダーレール１５０、１５１との係合がまだ十分な長さにわたって行われていないため、トレイ１０３は移動中に上下に揺れ易くなるからである。
【０００９】
一方、トレイ１０３がアンロード位置にあるときでもディスク保護部１１１の一部が壇部１０６の一部と重なり合うようにしておけば、アンロード位置にあるトレイ１０３を本体シャーシ１０２に向けて押し込んだとき、トレイ１０３の移動が本体シャーシ１０２の壇部１０６によって妨げられるということはない。しかし、この場合、ディスクをトレイ１０３から取り外すまたはトレイに装着するときにディスクを本体シャーシ１０２にぶつけてしまう虞がある。
【００１０】
次に、従来型のディスク駆動装置の第２の例を図９を参照して説明する。これは特開平９−２２３３４７号に開示されている例である。
ディスク駆動装置は、小型コンピュータに装着される本体シャーシ２０２と、ディスクが載置されるトレイ２０３とからなる。トレイ２０３は本体シャーシ２０２にＡ−Ｂ方向に移動可能に支持される。
本体シャーシ２０２の左右の側壁には固定側レール２０７が取り付けられ、トレイ２０３の左右の側壁には可動側レール２０６が取り付けられる。これら可動側レール２０６と固定側レール２０７との間には中間レール２０８が介在している。
【００１１】
本体シャーシ２０２の右側壁の上端からは壇部２１６が外側に向けて水平に張り出している。壇部２１６の上面は、本体シャーシ２０２の中央の底面よりも高い位置にある。
トレイ２０３のディスク保護部２１１は、左右の可動側レール２０６の間の領域だけ設けられて右側のレール２０６の外側（右側）は切除されている。このように、右側のレール２０６の外側にディスク保護部２１１が存在しないと、トレイ２０３を本体シャーシ２０２に押し込んだとき、壇部２１６とディスク保護部２１１との重なり合いはなくなるので、ディスク駆動装置を薄くできるという利点はある。
【００１２】
しかし、トレイ２０３上に載置されたディスクの、右側のレール２０６よりも外側に位置する部分（すなわち、壇２１６上に重なり合う部分）は、その下面が保護されなくなり露出する。また、ディスク保護部２１１の幅をディスクの直径いっぱいまで広げていないため、トレイ２０３の強度を弱くしている。
【００１３】
【特許文献１】
特開平８−１３８２９６号
【特許文献２】
特開平９−２２３３４７号
【発明の開示】
【発明が解決しようとする課題】
【００１４】
本発明の目的は、薄型で、且つ、トレイをスムーズに本体シャーシに挿入可能な、ディスク駆動装置を提供することにある。
【００１５】
上記目的を達成するため、本発明によるディスク駆動装置の第１の態様は、本体シャーシと、該本体シャーシから引き出された第１の状態と本体シャーシ内に押し込まれた第２の状態との間をスライド可能にされたトレイとを有する。さらに、本体シャーシを形成する底板は、その一側方に中央部分よりも一段高く形成されてなる壇部を有し、かつ、トレイは、本体シャーシ内に押し込まれたときに壇部と上下に重なりあう位置に張り出し保護部を有する。そして、張り出し保護部の本体シャーシ側の端部はその一部が切り欠かれていて、トレイを本体シャーシから引き出したときに、本体シャーシのトレイ側の端部との間に空隙が形成されるようにしている。
【００１６】
また、本発明によるディスク駆動装置の第２の態様は、本体シャーシと、該本体シャーシから引き出された第１の状態と本体シャーシ内に押し込まれた第２の状態との間をガイドレール機構によってスライド可能にされたトレイとを有する。さらに、トレイはトレイ基体とディスク保護部とを備え、ガイドレール機構は、本体シャーシの左右に設けられたシャーシ側ガイドレールと、トレイ基体の左右に設けられたトレイ側ガイドレールとを備える。また、ディスク保護部は、左右のガイドレールの間の領域に対応するメイン保護部と、左右のガイドレールの一方から外側に張り出した張り出し保護部とからなる。これらメイン保護部と張り出し保護部とで、トレイ上に載置されたディスクの下面の少なくとも全領域を覆う。また、張り出し保護部の本体シャーシ側の端部は、その一部が切り欠かれていて、トレイを本体シャーシから引き出したときに、本体シャーシのトレイ側の端部との間に空隙が形成されるようにしている。
【００１７】
前記の張り出し保護部の端部は、トレイ上に載置されたディスク外周円に沿って切り欠かれているか、または、一部が傾斜状にまたは湾曲状に切り欠かれている。そのため、トレイを本体シャーシから引き出したときには、張り出し保護部の端部と本体シャーシのトレイ側端部との間に空隙が生じるようにしている。
【００１８】
本発明のディスク駆動装置では、ディスクの下面全域がディスク保護部で保護されると同時に、本体シャーシに対するトレイの出し入れが容易となる。特に、トレイを本体シャーシに向けて押し込むとき、トレイ側に設けたディスク保護部の後端が本体シャーシの壇部の前端に突き当たらない構造となっているので、ディスク保護部は円滑に本体シャーシの壇部の上に乗ることができる。
【発明を実施するための最良の形態】
【００１９】
ディスク駆動装置１は、図１に示すように、本体シャーシ２とトレイ３とを備える。本体シャーシ２は鋼板のプレス成形品であり、天板２ａと底板２ｂとからなる。
天板２ａはその左右両側に側壁９及び１０が形成されている。底板２ｂは、図２の断面図に示すように、その左右両側に側壁４及び５が形成されている。右の側壁５は、底板２ｂの底面の端部から立ち上がった第１の右側壁５ｃと、第１の右側壁５ｃの上端から外側に向かって水平に（右方向に）延びている壇部６と、さらに、壇部６の先端縁から立ち上がっている第２の右側壁５ｄからなる。
【００２０】
天板２ａを底板２ｂにかぶせたとき、図２に示すように、天板２ａの左側壁９は底板２ｂの左側壁４と係合し、天板２ａの右側壁１０は底板２ｂの第２の右側壁５ｄと係合する。
底板２ｂの左側壁４及び第１の右側壁５ｃの内側面にはそれぞれガイドレール（以下、シャーシ側ガイドレールという）７及び８が取り付けてある。
トレイ３は、合成樹脂製のディスク保護部１１と該ディスク保護部１１を支える合成樹脂製のトレイ基体１２とからなる。
【００２１】
ディスク保護部１１は、ディスク１４の直下を保護する下側保護部１１ａとディスク１４の外周を保護する外周保護部１１ｂとからなる。下側保護部１１ａは、ディスク１４の直径よりわずかに大きな直径の円形領域を有する。外周保護部１１ｂと下側保護部１１ａとの間には段差が設けられて、ディスク１４が下側保護部１１ａ上に置かれたとき、外周保護部１１ｂの上面はそのディスク１４の上面より高い位置にくる。
【００２２】
トレイ基体１２には、金属製のスレッドシャーシ１３が組み込まれている。スレッドシャーシ１３には、ディスク１４を保持するターンテーブル１６と、ターンテーブル１６を回転駆動するモータ（図示せず）と、ヘッド２８を移送するヘッド移送機構（図示せず）などが設けられている。これらモータ及び移送機構を駆動するための電源や制御信号は、本体シャーシ２側の主回路基板３０と接続したフレキシブルフラットケーブル３１で伝達される。
【００２３】
ディスク１４がターンテーブル１６に装填されたとき、ディスク１４と下側保護部１１ｂとの間にはわずかな隙間が形成されるようにしてあるので、ディスク１４が回転したとき、下側保護部１１ｂと接触することはない。
【００２４】
トレイ３を本体シャーシ２からいっぱいに引き出して、ディスク１４をターンテーブル１６から外すことができる位置（以下、アンロード位置という）においたときには、図３の下面図に示すように、ディスク保護部１１の後端１１ｃ（本体シャーシ２側の端部）と、それと対向する本体シャーシ２の前端２ｃとの間に一定の隙間ｐができる。これは、アンロード位置にあるトレイ３にディスク１４を装着するときまたはトレイ３からディスク１４を取り外すとき、ディスク１４が本体シャーシ２の端部に当たらないようにするためである。
【００２５】
トレイ基体１２の左右両側には、図２に示すように、ガイドレール（以下、トレイ側ガイドレールという）１７及び１８が設けられている。そして、左のガイドレール１７は左のシャーシ側ガイドレール７と中間ガイドレールを介して係合し、また、右のガイドレール１８は右のシャーシ側ガイドレール８と中間ガイドレールを介して係合する。これら中間ガイドレールの構造については後述する。
そして、これらシャーシ側ガイドレール７、８とトレイ側ガイドレール１７、１８でもって、トレイ３をシャーシ２に向けて押し込む方向にまたはシャーシ２から引き出す方向にスライドさせることができる。
【００２６】
トレイ基体１２の左右両側に取り付けられたトレイ側ガイドレール１７、１８の間隔はディスク１４の直径よりも小さい。したがって、ディスク１４をその円の接線が左のガイドレール１７とほぼ一致するようにディスク保護部１１上に置くと、そのディスク１４の一部は、図３に示すように、右のガイドレール１８からさらに外側に（右側に）はみ出る。
【００２７】
もし、ディスク保護部１１を左右のガイドレール１７、１８の間にのみ設けたときは、ディスク１４の下面の一部はディスク保護部１１で保護されなくなる。
そこで、本発明では、ディスク１４の下面全体を保護するために、ディスク保護部１１を、左右のトレイ側ガイドレール１７、１８の間からさらにその外側に（右側に）延長させている。その結果、ディスク保護部１１は、左右のトレイ側ガイドレール１７、１８間の領域に対応する部分（メイン保護部１９）と、右のトレイ側ガイドレール１８より外方（右側）に張り出した延長部分（張り出し保護部２０）とから成る。
【００２８】
ディスク保護部１１のうち、メイン保護部１９はほぼ矩形をしている。一方、張り出し保護部２０は、矩形からその後方部分（本体シャーシ２に近い側の部分）の一部を、図３に示すように、トレイ３上に載置したディスク１４の外周円にほぼ沿って切り欠いた形状をしている。その切り欠いた張り出し保護部２０の端縁を図３では符号２０ａで表している。
【００２９】
この張り出し保護部２０の後方端縁２０ａは、ターンテーブル１６に装着したディスク１４の外周縁とほぼ一致した円弧形状をしている。したがって、トレイ３がアンロード位置（図３）にあるとき、張り出し保護部２０の後方端縁２０ａは、壇部６の前端から距離ｐ（ディスク保護部１１のメイン保護部１９の後端１１ｃと、それと対向する本体シャーシ２の前端２ｃとの間に隙間）よりも大きな距離前方にあって、その結果、トレイ３がアンロード位置にあるとき、張り出し保護部２０の端縁２０ａと本体シャーシ２の前端２ｃとの間には大きなスペースが形成されることになる。
【００３０】
ディスク保護部１１の張り出し保護部２０のうち、一部はディスク１４の直下を保護する下側保護部１１ａとなり、残りはディスク１４の外周を保護する外周保護部１１ｂとなっている。ところで、張り出し保護部２０で後方端縁２０ａからすぐ内側の部分は下側保護部１１ａを構成しているので、その後方端縁２０ａは、図４に示すように、上方に緩やかに曲がってディスク１４の端面と対向する側壁を備える。この後方端縁２０ａに形成された側壁の高さは、ディスク保護部１１の下側保護部１１ａと外周保護部１１ｂとの段差にほぼ等しい。
【００３１】
符号２１は、ミニディスクをターンテーブル１６に装着したときに、そのミニディスクの外周に指を引っかけてターンテーブル１６に装着するためにまたはターンテーブル１６から取り出すために、指を通すための穴である。
トレイ３を本体シャーシ２にいっぱいに押し込んでロックした状態（ロード位置）では、ディスク保護部１１の張出し保護部２０は、図２に示すように、本体シャーシ２の壇部６の上方に位置する。
【００３２】
ディスク駆動装置１をできるだけ薄くするためには、本体シャーシ２の壇部６の上面と、トレイ３のディスク保護部１１（張出し保護部２０）の下面との間にほとんど高さの差がないようにすることが要請される。したがって、アンロード位置にあるトレイ３を本体シャーシ２に押し込んだとき、トレイ３のディスク保護部１１における張出し保護部２０の後方端縁２０ａが本体シャーシ２の壇部６の前端６ａとぶつからないように留意する必要がある。
【００３３】
ところで、本発明によるディスク駆動装置１では、前述したように、（１）張出し保護部２０の後方端縁２０ａが斜め前方に延びていること、及び（２）張出し保護部２０の後方端縁２０ａと本体シャーシ２の前端２ｃとの間に大きなスペースが形成されているので、以下のような効果がある。
（１）張り出し保護部２０が本体シャーシ２の壇部６に近づいて行くとき、その後方端縁２０ａは、円弧状で斜め前方に延びているため、その全体が一度に本体シャーシ２の壇部６の前端６ａと一致するのではない。後方端縁２０ａは、その後方部位から前方部位へと、徐々に壇部６の前端６ａを越えて後方に移動する。したがって、ディスク保護部１１における張出し保護部２０は円滑に本体シャーシの壇部６の上に重ね合わされてゆくことができる。
（２）アンロード位置にあるトレイ３を本体シャーシ２に向けてある距離だけ移動させなければ、張り出し保護部２０の後方端縁２０ａが本体シャーシ２の壇部６の前端６ａまで到達しない。換言すれば、張り出し保護部２０の後方端縁２０ａの一部が本体シャーシ２の壇部６の前端６ａに到達し始めた時点では、すでにシャーシ側ガイドレール７、８とトレイ側ガイドレール１７、１８との係合がある距離にわたって行われている。したがって、移動中の張り出し保護部２０が揺れてその後方端縁２０ａが本体シャーシ２の壇部６の前端６ａに突き当たることはなくなる。
【００３４】
この張り出し保護部２０の後方端縁２０ａの形状は、必ずしも正確に円弧である必要はなく、円弧に近い傾斜直線か湾曲線であってもよい。
次に、トレイ側ガイドレール１７、１８とシャーシ側ガイドレール７、８との係合について詳細に説明する。
図５は、トレイ３がトレイ側ガイドレール１７、１８及びシャーシ側ガイドレール７、
８を介して本体シャーシ２上に押し込められた状態（ロード位置）を示す図である。
【００３５】
本体シャーシ２の底板２ｂにおける壇部６の下には空間が形成され、ここに、ディスク駆動装置１が組み込まれるコンピュータの部品が配置される。
底板２ｂの左側壁４（図６）及び第１の右側壁５ｃ（図７）には上縁を内側に切り起こして先端をＬ字状に曲げたシャーシ側ガイドレール７、８がそれぞれ数ヶ所（例えば、３ヶ所）形成されている。
【００３６】
トレイ３のトレイ基体１２の左右壁面１２ａ及び１２ｂには、その外側面に、トレイ移動方向に長く延びる２本の突条４０ａ１、４０ａ２、及び４０ｂ１、４０ｂ２がそれぞれ形成されている。そして、トレイ基体１２の左壁面１２ａとそこに形成された２本の突条４０ａ１、４０ａ２とで左のトレイ側ガイドレール１７を、また、トレイ基体１２の右壁面１２ｂとそこに形成した２本の突条４０ｂ１、４０ｂ２とで右のトレイ側ガイドレール１８を構成している。これらの突状４０ａ１、４０ａ２、及び４０ｂ２は、その先端がＬ字状に曲がった断面形状をしている。
【００３７】
左のトレイ側ガイドレール１７は左のシャーシ側ガイドレール７と左の中間ガイドレール４１を介して係合し、また、右のトレイ側ガイドレール１８は右のシャーシ側ガイドレール８と右の中間ガイドレール４２を介して係合する。これら左右の中間ガイドレール４１、４２は、ともに一定の断面形状をもった硬質プラスチックの押し出し成形品である。
【００３８】
左の中間ガイドレール４１は、図６に示すように、外側に、左のシャーシ側ガイドレール７に係合する第１の係合部４１ａを備え、また、内側に、左のトレイ側ガイドレール１７を構成する突条４０ａ１、４０ａ２と係合する第２の係合部４１ｂを備える。
一方、右の中間ガイドレール４２は、図７に示すように、外側に、右のシャーシ側ガイドレール８に係合する第１の係合部４２ａを備え、また、内側に、右のトレイ側ガイドレール１８を構成する突条４０ｂ１、４０ｂ２と係合する第２の係合部４２ｂを備える。
【００３９】
左のシャーシ側ガイドレール７のＬ字状に曲がった先端部分と、左のトレイ側ガイドレール１７の先端がＬ字状に曲がった突状４０ａ１、４０ａ２とが、左の中間ガイドレール４１に形成された溝部分にそれぞれ係合することで、左のシャーシ側ガイドレール７と左のトレイ側ガイドレール１７とは左右にはずれない構造となっている。
【００４０】
また、右のシャーシ側ガイドレール８のＬ字状に曲がった先端部分と、右のトレイ側ガイドレール１８の先端がＬ字状に曲がった突状４０ｂ２とが、右の中間ガイドレール４２に形成された溝部分にそれぞれ係合することで、右のシャーシ側ガイドレール８と右のトレイ側ガイドレール１８とは左右にはずれない構造となっている。
【００４１】
しかも、図７に示すように、右の中間ガイドレール４２の第１係合部４２ａの最上面ｔｑ１は、第２の係合部４２ｂの最上面ｔｑ２よりも低い位置に形成されている。これにより、第１係合部４２ａと係合する本体シャーシ２の壇部６を、第２係合部４２ｂの上部に置かれるディスク保護部１１の張り出し保護部２０の位置よりも十分低い位置に置くことができる。
【００４２】
その結果、ディスク駆動装置全体の厚さを大きくしなくても、本体シャーシ２の壇部６の上面と、ディスクの全領域保護のために右のトレイ側ガイドレール１８を越えてさらに外側に（右側に）張り出した部分（張り出し保護部２０）との間に、適当な空隙を無理なく生じさせることができる。
【００４３】
なお、右のトレイ側ガイドレール１８は、右の中間ガイドレール４２の第２の係合部４２ｂと係合する凹部を有する。その凹部の最上の部分は、トレイ３のディスク保護部１１（の張り出し保護部２０）の下面とほぼ同一の高さとする。こうして、中間ガイドレール４２の第２の係合部４２ｂの最上部ｔｑ２をトレイ３のディスク保護部１１の下面に出来るだけ近づけることで、ディスク駆動装置１全体の寸法を小さくできる。
【００４４】
一方、図６に示すように、左の中間ガイドレール４１の第１係合部４１ａの最上面ｔｐ１は、第２の係合部４１ｂの最上面ｔｐ２よりも高い位置に形成されている。しかし、図６で明からなように、第１係合部４１ａの最上面ｔｐ１と、本体シャーシ２を構成するカバー４の天板４ａの下面との間には、十分な間隔が取れているので、この左の中間ガイドレール４１の第１係合部４１ａをわずかばかり高くしても格別の支障はない。
【図面の簡単な説明】
【００４５】
【図１】  本発明の一実施例によるディスク駆動装置の斜視図である。
【図２】  図１のディスク駆動装置の横断面図である。
【図３】  図１のディスク駆動装置を下から見た図であり、トレイは本体シャーシから十分に引き出されていて、それへのディスクの装着・取り外しが可能の状態（アンロード位置）にある。
【図４】  図１のＢ−Ｂ断面図である。
【図５】  図１のディスク駆動装置において、トレイが本体シャーシ上に押し込められた状態（ロード位置）を示す図である。
【図６】  図５に示すトレイを本体シャーシに対して出し入れ可能にしている左右のガイド機構のうち、左側のガイド機構についての断面図である。
【図７】  右側のガイド機構についての断面図である。
【図８】  従来型のディスク駆動装置の第１例を示す斜視図である。
【図９】  従来型のディスク駆動装置の第２例を示す斜視図である。
【図１】
0004181990.tif 000002
【図２】
0004181990.tif 000003
【図３】
0004181990.tif 000004
【図４】
0004181990.tif 000005
【図５】
0004181990.tif 000006
【図６】
0004181990.tif 000007
【図７】
0004181990.tif 000008
【図８】
0004181990.tif 000009
【図９】
0004181990.tif 000010